(57)【要約】【課題】刈刃駆動装置に設けた防護カバーに塵埃が堆積したり巻付きの発生を防止して、刈刃駆動の抵抗を生じさせない巻付き防止装置の提供である。【解決手段】左右に刈刃駆動装置を装備して刈刃を格別に摺動させ、下部搬送装置に穀稈を受継ぐ多条刈りコンバインの刈取部において、下部搬送路１ａ、１ｂと同方向に傾斜させたロッド２とクランク部３を覆う防護カバー５を上方に設け、下部搬送路１ａ、１ｂに沿った案内面６ａ、６ｂを前記防護カバー５に一体形成し、始端部をスターホイル７ａ下面と重合させた巻付き防止装置である。【選択図】　　　　　　図１
2004121101.tif 000002
【特許請求の範囲】
【請求項１】
機体前方に横設した切断部の左右に刈刃駆動装置を装備して刈刃を格別に摺動させ、切断した穀稈を下部搬送装置に受継ぎ後方で合流させるコンバインの刈取部において、下部搬送路（１ａ）、（１ｂ）と同方向に傾設したロッド（２）とクランク部（３）を覆う防護カバー（５）を刈刃駆動装置（Ａ）の上方に設け、前記下部搬送路（１ａ）、（１ｂ）に沿った案内面（６ａ）、（６ｂ）を前記防護カバー（５）に一体形成したことを特徴とするコンバインの巻付き防止装置。
【請求項２】
案内面（６ａ）、（６ｂ）の始端部を平面視において、下部搬送チェン（４５）を巻回させたスターホイル（７ａ）に重合させたことを特徴とする請求項１に記載したコンバインの巻付き防止装置。
【発明の詳細な説明】
【０００１】
【発明の属する技術分野】
バリカン型の刈刃駆動装置に防護カバーを設け、株元の搬送方向に沿った案内面を形成させたコンバインの巻付き防止装置に関するのである。
【０００２】
【従来の技術】
従来の刈刃を駆動するベルクランク機構を防護する構成に、回転クランク部とクランクロッド部を個別に防護したものがあり、前記回転クランク部の半周を覆う構成にしたものと（例えば実用新案文献１参照）、ロッド部の上面と前面を覆う防護カバーをクランクレバーと一体に装着したもの等がある（例えば実用新案文献２参照）。
【０００３】
【実用新案文献１】
実開昭６２−１６９９２３号公報（第２図）
【実用新案文献２】
実開昭６１−１２５２１９号公報（第６−７頁、第４図）
【発明が解決しようとする課題】
刈刃駆動装置に設けた防護カバーに塵埃が堆積したり回転部に巻付く穀稈を防止して、刈刃の作動抵抗を生じさせない巻付き防止装置の提供を目的とするものである。
【０００４】
【課題を解決するための手段】
このような目的を達成するために、多条刈りを行う双方の下部搬送路に沿って案内面を形成した防護カバーをハの字型に対設し、切断部の左右に配置した刈刃駆動装置のクランク部とロッドを前記防護カバーで覆うようにした巻付き防止装置の構成である。
【０００５】
機体前方に横設した切断部の左右に刈刃駆動装置を装備して刈刃を格別に摺動させ、切断した穀稈を下部搬送装置に受継ぎ後方で合流させるコンバインの刈取部において、下部搬送路と同方向に傾設したロッドとクランク部を覆う防護カバーを刈刃駆動装置の上方に設け、前記下部搬送路に沿った案内面を防護カバーに一体形成し、機体の進行方向に対して侵入する塵埃や泥土の後方移動を促進させる傾斜構造にした。
【０００６】
案内面の始端部を平面視において、下部搬送チェンを巻回させたスターホイルに重合させ、前記スターホイルの下方に巻込む穀稈の株元が防護カバーの案内面に接当し、巻付きを防止するとともに堆積物の滑落を助長させる構成にした。
【０００７】
【発明実施の形態】
【実施例】
本発明による巻付き防止装置の概要を図１の刈刃駆動装置を示す平面図と、図４の機体前方に装備した刈取部の側面図で説明すると、切断部１６の左右に装備した刈刃駆動装置Ａのクランク部３とロッド２を平面視でハの字型に対設した刈取部Ｃにおいて、下部搬送路１ａ、１ｂに沿って案内面６ａ、６ｂを形成した防護カバー５を前記刈刃駆動装置Ａの上方に装着したコンバインの概要は、左右一対のクローラ走行装置１０に支持された機台１１上に脱穀部Ｂを搭載し、前方に立設する据付け台１２に回動支点Ｐを設け、これを中心に昇降する多条刈りの刈取部Ｃが装着され、刈高さ調節を行ないながら刈取作業をするものであり、先端に刈取幅に応じた分草板１４を複数固着して傾倒穀稈を浮揚させ、連設する引起装置１３にタイン１５を内装して穀稈を起立姿勢にし、掻込ベルト８で保持した株元側がスターホイル７ａ、７ｂに誘導されて、後方に掻き込むと同時に可動刈刃２８ａ、２８ｂの往復運動で切断する構成にしたものである。尚２０は、回動支点Ｐに入力した動力を斜降させて下部ケース２１に回転を伝達する２軸ケースである。
【０００８】
刈取部Ｃの全幅に横設した切断部の構成を図１の平面図と、図２の要部を断面した刈刃駆動装置の側面図で説明すると、一本の受け刃２５を受け刃台２６とともに複数列に延設した分草パイプ２７に水平に固着し、分割した可動刈刃２８ａ、２８ｂを前記受け刃２５上で対向させ、矢印イの方向に摺動するように刈刃押え３０で保持して前記受け刃２５に密着した摺動を行うことで、切断の衝撃や刈刃振動の発生を緩和する対向運動をさせた切断部１６の構成にしてある。
【０００９】
また、動力の伝達は回動支点Ｐ部に入力した回転を２軸ケース２０に内設した伝導軸で下部ケース２１に斜降させ、可動刈刃２８ａ、２８ｂに連係する左右位置から駆動軸を上方に突出させてバランサー３１を回転自在に固着し、軸芯から偏心量Ｈにロッド２の基部側になるリンクボール３３を螺着させ、一方を揺動アーム３５に連結して前記バランサー３１の回転運動を往復運動に変換し、可動刈刃２８ａ、２８ｂに各々固設したナイフバー３７のＵ字溝３８に駆動ローラ３６が嵌入して、矢印イ方向の対向した往復摺動をする刈刃駆動装置Ａにしたものである。
【００１０】
切断した穀稈の掻き込みと後方搬送を行う一対のスターホイル７ａ、７ｂを左右に設けて切断部１６の上方で噛合させ、一側にスプロケット４１を固着して後端の合流部４７に臨ませた転輪４３に下部搬送チェン左４５を巻回し、出退自在の狭扼ガイド４６を対設して下部搬送路１ａの左側が形成され、平面視でハの字型に対向する右側の下部搬送路１ｂも同様の搬送構造にした多条刈りコンバインの下部搬送装置Ｄにしてあり、切断した穀稈を双方の下部搬送路１ａ、１ｂで狭扼しながら後方の前記合流部４７に搬送する構成にしてある。
【００１１】
左右の可動刈刃に入力する刈刃駆動装置に防護カバーを装備した構成を図１の平面図と、図２の要部を断面した刈刃駆動装置の側面図で説明すると、バランサー３１の中心から偏心量Ｈの位置にクランク部３の基部側を固着し、揺動アーム３５に至るロッド２までを覆う防護カバー５をリンクボール３３の上方に接近させて固着し、下部ケース２１の左右に設けた前記防護カバー５の案内面６ａ、６ｂを下部搬送路１ａ、１ｂの方向に垂設して、下部搬送装置Ｄと同じハの字型を形成した前記防護カバー５の形状にしたものである。
【００１２】
このような案内面６ａ、６ｂの始端側をスターホイル７ａの下方に臨ませ、巻込む穀稈の株元を接当させて回転体の巻付きを防ぎ、下部搬送路１ａ、１ｂの周辺を移動する塵埃や泥土が前記案内面６ａ、６ｂに誘導され易くなる傾斜構造にするとともに、前記下部搬送路１ａ、１ｂから離れた案内面６ａ、６ｂ以外の外周壁を開放し、排出空間の大きな防護カバー５の形状にして侵入する塵埃の排出を行い易くした巻付き防止装置である。
【００１３】
図３は防護カバーの斜視図であって、図１の平面図を併用して防護カバーの形状を説明すると、切断した穀稈の株元側を挟扼ガイド４６で保持しながら矢印ロ方向に搬送する下部搬送路１ａ、１ｂに略平行に案内面６ａ、６ｂを垂設し、その先端を揺動アーム３５に近設するとともに防護カバー５の正面を開放したカバー形状にし、前方で生じる堆積物の侵入を傾斜面で後方に誘導することと、前記防護カバー５の先端面を鋭角に形成したことで泥土や塵埃が正面で衝突せずに搬送穀稈の株元に連れられて後方に移動し、下部ケース２１とフレーム５０の空間から落下する構成にしたものである。
【００１４】
また、下部搬送路１ａ、１ｂと同様のハの字型に形成したロッド２が防護カバー５の案内面６ａ、６ｂの裏面に沿ったクランク運動を行い、前記防護カバー５の内側隙間に侵入した堆積物に振動を与え落下を促進させるようにした巻付き防止装置である。尚５１は、下部ケース２１やフレーム枠に防護カバー５を固着する取付け座である。
【００１５】
図５は、縦搬送装置に設けた防護カバーの別途実施例であって、図６の要部を断面した正面図を併用して構造の概要を説明すると、対向運動をする可動刈刃１ａ、１ｂで切断した穀稈をハの字型に形成した下部搬送装置Ｄで挟扼しながら合流部４７に集稈し、終端に縦搬送装置Ｅの先端部を臨ませて穀稈を受継ぎ、矢印ニ方向の揺動運動をする長短稈調節を行いながら脱穀部Ｂに適正扱深さで供給する刈取部Ｃの揚上搬送経路にしたものである。
【００１６】
このような縦搬送装置Ｅの上面に防護カバー５を張設したものであって、巻回する搬送チェン５５に挟扼ガイド４６を対設させ、その作用側に前記防護カバー５の重合部６２を長手方向に設け、移送中に生じる前記搬送チェン５５の浮上りを押えるとともに非作用側に向かって屈折する山形状５７にし、チェン台５８の上面に三角形の空間６０を形成したことにより、侵入した塵埃が斜面６１に沿った矢印ホ方向に誘導され易くなって、前記非作用側を下降する搬送チェン５５のプレート上面に接触し、開口した前記防護カバー５の下端から排塵する構成にした別途実施例である。
【００１７】
【発明の効果】
以上説明したように、刈刃駆動装置に設けた防護カバーに下部搬送路に沿った案内面を設け、塵埃が堆積したり巻付きの発生を防ぐ巻付き防止装置にしたので以下に掲げるような効果を発揮するものである。
【００１８】
機体前方に横設した切断部の左右に刈刃駆動装置を装備して刈刃を格別に摺動させ、切断した穀稈を下部搬送装置に受継ぎ後方で合流させるコンバインの刈取部において、下部搬送路１ａ、１ｂと同方向に傾設したロッド２とクランク部３を覆う防護カバー５を刈刃駆動装置Ａの上方に設け、前記下部搬送路１ａ、１ｂに沿った案内面６ａ、６ｂを前記防護カバー５に一体形成したので、搬送路周辺を移動する塵埃や泥土が傾斜構造の案内面６ａ、６ｂで誘導され易くなって堆積や巻付きが減少した。
【００１９】
案内面６ａ、６ｂの始端部を平面視において、下部搬送チェン４５を巻回させたスターホイル７ａに重合させたので、スターホイル７ａによる巻込み稈が前記案内面６ａ、６ｂに接当して回転部に巻付く穀稈が減少した。
【図面の簡単な説明】
【図１】刈刃駆動装置を示す平面図である。
【図２】要部を断面した刈刃駆動装置の側面図である。
【図３】防護カバーの形状を示す斜視図である。
【図４】機体前方に装着した刈取部の側面図である。
【図５】縦搬送装置に設けた防護カバーの別途実施例である。
【図６】要部を断面した防護カバーの正面図である。
【符号の説明】
Ａ・・刈刃駆動装置　　　Ｃ・・刈取部　　　　　　Ｐ・・回動支点
Ｈ・・偏心量　　　　　　Ｄ・・下部搬送装置
１ａ、ｂ下部搬送路　　　　２・・ロッド　　　　　　３・・クランク部
５・・防護カバー　　　６ａ、ｂ案内面　　　　　７ａ、ｂスターホイル
１６・・切断部　　　　　２０・・２軸ケース　　　２１・・下部ケース
２５・・受け刃　　　　　２６・・受け刃台　　　　２７・・分草パイプ
２８ａ、ｂ可動刈刃　　　３０・・刈刃押え　　　　３１・・バランサー
３３・・リンクボール　　３５・・揺動アーム　　　３６・・駆動ローラ
３７・・ナイフバー　　　３８・・Ｕ字溝　　　　　４１・・スプロケット
４３・・転輪　　　　　　４５・・下部搬送チェン　４６・・挟扼ガイド
４７・・合流部　　　　　５０・・フレーム
矢印イ・・可動刈刃の摺動方向
矢印ロ・・株元の搬送方向
【図１】
2004121101.tif 000003
【図２】
2004121101.tif 000004
【図３】
2004121101.tif 000005
【図４】
2004121101.tif 000006
【図５】
2004121101.tif 000007
【図６】
2004121101.tif 000008